(57)【特許請求の範囲】
【請求項１】
フレームと、
該フレームに支持されたモータと、
該モータの回転力を出力する出力ギヤと、
該出力ギヤと噛合する圧胴ギヤを有し、該出力ギヤの回転によって該圧胴ギヤと同軸的に一体回転する圧胴と、
該圧胴ギヤと噛合する給紙胴ギヤと、該圧胴ギヤの回転によって該給紙胴ギヤと同軸的に回転して用紙を該圧胴の表面へ供給する給紙胴とを有する給紙手段と、
該圧胴ギヤと噛合する排紙ギヤと、チェーンが環装され該圧胴ギヤの回転によって該排紙ギヤと同軸的に回転して該チェーン表面で用紙を圧胴から離間排紙する排紙部とを有する排紙手段と、
該圧胴ギヤと噛合するゴム胴ギヤを有し、該圧胴の表面と接しながら該圧胴ギヤの回転によって該ゴム胴ギヤと一体回転するゴム胴と、
該ゴム胴ギヤと噛合する版胴ギヤを有し、印刷するための画像が表面に形成され、該ゴム胴の表面と接しながら該ゴム胴ギヤの回転によって該版胴ギヤと同軸的に一体回転する版胴と、
該版胴の回転力が伝達されて駆動し、印刷するためのインキを該版胴の表面に供給するインキ供給手段とを有し、
該版胴の表面には、該インキ供給手段によって供給されたインキによって、該画像に基づきインキ像が形成され、
該ゴム胴の表面には該版胴に形成された該インキ像が転写され、
該圧胴は、該インキ像が転写された該ゴム胴の表面に用紙を押圧することによって該インキ像を用紙上に転写して印刷を行なうオフセット印刷機において、
該給紙手段、該排紙手段、該インキ供給手段に対して該モータからの回転力の伝達を遮断する回転力伝達遮断手段を有し、
該版胴は、該版胴と同軸的に一体回転する版胴回転力伝達部材を有し、
該版胴回転力伝達部材の回転力を該インキ横転ローラーへ伝達するための第１ギヤ、第２ギヤ、第３ギヤ、第４ギヤ、及び第５ギヤと、
該版胴の回転力をそのまま回転力として伝達する第１プーリー、ベルト、及び第２プーリと、該第１プーリー、該ベルト、及び該第２プーリから伝達された回転力を往復動へと変換して該インキ横転ローラーへ伝達するためのロッド支持部、ロッド、横転駆動部材、１対のアーム部、ピボット支軸、及び横転力伝達アームとを有し、
該回転力伝達遮断手段は、該版胴回転力伝達部材から該第１ギヤ、該第２ギヤ、該第３ギヤ、該第４ギヤ、及び該第５ギヤへの回転力の伝達を選択的に接続・遮断する第１の電磁クラッチと、
該第１プーリー、該ベルト、及び該第２プーリーから該ロッド支持部、該ロッド、該横転駆動部材、該１対のアーム部、該ピボット支軸、及び該横転力伝達アームへの回転力の伝達を選択的に接続・遮断する第２の電磁クラッチとを有し、
該給紙手段、該排紙手段、該インキ供給手段に対して該モータからの回転力の伝達を該版胴の表面に画像を形成するときに遮断することを特徴とするオフセット印刷機。
【請求項２】
該回転力伝達遮断手段は、電磁クラッチを有し、
該電磁クラッチは、該給紙胴ギヤと該給紙胴とを選択的に接続・分離し、
該フレームには、第１係止爪を備えた第１回転阻止手段が設けられ、該第１係止爪は該給紙胴に係合可能に設けられ、該給紙胴ギヤと該給紙胴とが接続されているときには、該第１係止爪は該給紙胴から離反して該給紙胴を該フレームに対して回転自在とし、該給紙胴ギヤと該給紙胴とが分離しているときには、該第１係止爪は該給紙胴に係合して該給紙胴を該フレームに対して回転不能とすることを特徴とする請求項１記載のオフセット印刷機。
【請求項３】
該回転力伝達遮断手段は、電磁クラッチを有し、
該電磁クラッチは、該排紙ギヤと該排紙部とを選択的に接続・分離し、
該フレームには、第２係止爪を備えた第２回転阻止手段が設けられ、該第２係止爪は、該排紙部に係合可能に設けられ、該排紙ギヤと該排紙部とが接続されているときには、該第２係止爪は該排紙部から離反して該排紙部を該フレームに対して回転自在とし、該排紙ギヤと該排紙部とが分離しているときには、該第２係止爪は該排紙部に係合して該排紙部を該フレームに対して回転不能とすることを特徴とする請求項１又は２記載のオフセット印刷機。
【請求項４】
該回転力伝達遮断手段は、該版胴から該インキ供給手段への回転力及び横転力の伝達を、選択的に接続・遮断する電磁クラッチを有することを特徴とする請求項１乃至３のいずれか一記載のオフセット印刷機。
【発明の詳細な説明】
【０００１】
【産業上の利用分野】
本発明はオフセット印刷機に関し、特に、駆動源であるモータの回転力が、圧胴を介して給紙装置、排紙装置へ伝達され、圧胴、ゴム胴及び版胴を介してインキ横転ローラーへ伝達されるデジタルオフセット印刷機に関する。
【０００２】
【従来の技術】
従来より、複数色で印刷が可能なデジタルオフセット印刷機はよく知られている。
【０００３】
特表平９−５１０４１０号公報には、４色刷りを行うオフセット印刷機が記載されている。この印刷機には、圧胴、排紙装置、給紙コンベヤ及び受け渡し胴が各１個設けられ、ゴム胴及び版胴が各２個設けられ、また、４色分の色ロールが設けられている。給紙コンベヤ及び受け渡し胴は、圧胴の表面上へ用紙を供給する。圧胴は、その表面に用紙が載置される。排紙装置は、圧胴表面上の用紙を排紙する。ゴム胴は、圧胴の表面に供給された用紙とともに圧胴によって押圧される。
【０００４】
圧胴は、モータの駆動力によって回転する。２つのゴム胴の軸心は圧胴の軸心と平行であり、２つのゴム胴は圧胴に接しており、圧胴の回転によって２つのゴム胴が回転するように構成されている。ゴム胴と同様に、給紙コンベヤ、受け渡し胴及び排紙装置も、圧胴の回転によって駆動、回転するように構成されている。
【０００５】
版胴には、その表面に薄い版が設けられており、版には印刷するための画像が形成される。２つの版胴は、その軸心がゴム胴の軸心と平行であり２つのゴム胴に対して各１個ずつ接しており、ゴム胴の回転によって回転する。１つの版胴の表面は、２つのセグメントに分けられており、１つのセグメントにはある一色を印刷するための画像が形成される。また、他のセグメントには他の一色を印刷するための画像が形成される。即ち、２つの版胴に合計で４色分の画像が形成されるように構成されている。
【０００６】
色ロールは、版上に形成された画像の上にインキを供給する。１つの版胴の表面に設けられた版上に２色のインキを供給できるように、１つの版胴に対して２色分の色ロールが設けられており、全部で合計４色分の色ロールが設けられている。色ロールは、その軸心が版胴の軸心と平行であり、版胴と接しており、版胴の回転によって回転するように構成されている。
【０００７】
デジタルオフセット印刷機では、版胴の表面に画像を形成するために版胴を回転させる必要がある。これは、レーザープリンタで印刷を行う際に、感光体ドラムの表面に静電潜像を形成するために感光体ドラムを回転させる必要があるのと同様である。版胴を回転させるために、唯一の駆動源であるモータが駆動される。
【０００８】
【発明が解決しようとする課題】
しかし、従来のデジタルオフセット印刷機では、画像の形成時に版胴を回転させるためには、モータを駆動させ、モータの回転力を圧胴及びゴム胴の回転を介して版胴に伝達させていた。このため、圧胴の回転によって回転駆動するように構成された給紙コンベヤ、受け渡し胴及び排紙装置も同時に回転されていた。また、版胴の回転によって回転するように構成された色ローラも回転されていた。これら、給紙コンベヤ、受け渡し胴、排紙装置及び色ローラは、画像の形成には直接関係のない部分である。
【０００９】
画像形成の時間短縮が印刷時間全体の短縮に直接結びつくのであるが、画像形成の時間を短縮するためには、画像形成の際に版胴をより高速で回転させることが要求される。しかしながら、上述のように画像の形成に必要ない部分まで駆動回転されてしまうのでは、版胴の高速回転を図ることができず、回転力のロスも大きく、また、画像形成時の印刷機本体の振動も大きくなってしまい問題となっていた。
【００１０】
そこで本発明は、画像の形成に無関係な部分への回転力の伝達を遮断するオフセット印刷機を提供することを目的とする。
【００１１】
【課題を解決するための手段】
上記目的を達成するために、本発明は、フレーム１１、１２と、該フレーム１１に支持されたモータと、該モータの回転力を出力する出力ギヤ２と、該出力ギヤ２と噛合する圧胴ギヤを有し、該出力ギヤ２の回転によって該圧胴ギヤと同軸的に一体回転する圧胴３と、該圧胴ギヤと噛合する給紙胴ギヤ４１と、該圧胴ギヤの回転によって該給紙胴ギヤ４１と同軸的に回転して用紙を該圧胴３の表面へ供給する給紙胴４とを有する給紙手段と、該圧胴ギヤと噛合する排紙ギヤ６１と、チェーン６２が環装され該圧胴ギヤの回転によって該排紙ギヤ６１と同軸的に回転して該チェーン６２表面で用紙を圧胴から離間排紙する排紙部６とを有する排紙手段と、該圧胴ギヤと噛合するゴム胴ギヤを有し、該圧胴３の表面と接しながら該圧胴ギヤの回転によって該ゴム胴ギヤと一体回転するゴム胴８と、該ゴム胴ギヤと噛合する版胴ギヤ９０ａを有し、印刷するための画像が表面に形成され、該ゴム胴８の表面と接しながら該ゴム胴ギヤの回転によって該版胴ギヤと同軸的に一体回転する版胴９と、該版胴９の回転力が伝達されて駆動し、印刷するためのインキを該版胴の表面に供給するインキ供給手段１５１、１６１、１７１とを有し、該版胴９の表面には、該インキ供給手段１５１、１６１、１７１によって供給されたインキによって、該画像に基づきインキ像が形成され、該ゴム胴の表面には該版胴９に形成された該インキ像が転写され、該圧胴３は、該インキ像が転写された該ゴム胴８の表面に用紙を押圧することによって該インキ像を用紙上に転写して印刷を行なうオフセット印刷機において、該給紙手段、該排紙手段、該インキ供給手段に対して該モータからの回転力の伝達を遮断する回転力伝達遮断手段を有し、該版胴９は、該版胴９と同軸的に一体回転する版胴回転力伝達部材９３を有し、該版胴回転力伝達部材９３の回転力を該インキ横転ローラー１５１、１６１、１７１へ伝達するための第１ギヤ９４、第２ギヤ９６、第３ギヤ９７、第４ギヤ９８、及び第５ギヤ９９と、版胴９の回転力をそのまま回転力として伝達する第１プーリー９１ｂ、ベルト１０３、及び第２プーリー１０７と、該第１プーリー９１ｂ、該ベルト１０３、及び該第２プーリー１０７から伝達された回転力を往復動へと変換して該インキ横転ローラー１５１、１６１、１７１へ伝達するためのロッド支持部１０４ｃ、ロッド１０８、横転駆動部材１１０、１対のアーム部１１３、１１２、ピボット支軸１１４、及び横転力伝達アーム１１５とを有し、該回転力伝達遮断手段は、該版胴回転力伝達部材９３から該第１ギヤ９４、該第２ギヤ９６、該第３ギヤ９７、該第４ギヤ９８、及び該第５ギヤ９９への回転力の伝達を選択的に接続・遮断する第１の電磁クラッチ１０２と、該第１プーリー９１ｂ、該ベルト１０３、及び該第２プーリ１０７から該ロッド支持部１０４ｃ、該ロッド１０８、該横転駆動部材１１０、該１対のアーム部１１３、１１２、該ピボット支軸１１４、及び該横転力伝達アーム１１５への回転力の伝達を選択的に接続・遮断する第２の電磁クラッチ１１８とを有し、該給紙手段、該排紙手段、該インキ供給手段１５１、１６１、１７１に対して該モータからの回転力の伝達を該版胴９の表面に画像を形成するときに遮断するオフセット印刷機を提供している。
【００１２】
ここで、該回転力伝達遮断手段は、電磁クラッチ４８を有し、該電磁クラッチ４８は、該給紙胴ギヤ４１と該給紙胴４とを選択的に接続・分離し、該フレーム１１には、第１係止爪５０ａを備えた第１回転阻止手段５０が設けられ、該第１係止爪５０ａは該給紙胴４に係合可能に設けられ、該給紙胴ギヤ４１と該給紙胴４とが接続されているときには、該第１係止爪５０ａは該給紙胴４から離反して該給紙胴４を該フレーム１１に対して回転自在とし、該給紙胴ギヤ４１と該給紙胴４とが分離しているときには、該第１係止爪５０ａは該給紙胴４に係合して該給紙胴４を該フレーム１１に対して回転不能とすることが好ましい。
【００１３】
また、該回転力伝達遮断手段は、電磁クラッチ６８を有し、該電磁クラッチ６８は、該排紙ギヤ６１と該排紙部６とを選択的に接続・分離し、該フレーム１１には、第２係止爪７０ａを備えた第２回転阻止手段が設けられ、該第２係止爪７０ａは、該排紙部６に係合可能に設けられ、該排紙ギヤ６１と該排紙部６とが接続されているときには、該第２係止爪７０ａは該排紙部６から離反して該排紙部６を該フレーム１１に対して回転自在とし、該排紙ギヤ６１と該排紙部６とが分離しているときには、該第２係止爪７０ａは該排紙部６に係合して該排紙部６を該フレーム１１に対して回転不能とすることが好ましい。
【００１４】
また、該回転力伝達遮断手段は、該版胴９から該インキ供給手段１５１、１６１、１７１への回転力及び横転力の伝達を、選択的に接続・遮断する電磁クラッチ１０２、１１８を有することが好ましい。
【００１５】
【発明の実施の形態】
本発明の第１の実施の形態によるオフセット印刷機について図１乃至図７に基づき説明する。
【００１６】
先ず、オフセット印刷機の構成の概要について図１に基づき説明する。オフセット印刷機１には、オフセット印刷機１の骨格をなすフレーム１１（図２）に図示せぬモータが固着されており、図示せぬモータの出力軸には、出力ギヤ２が設けられている。印刷機１には略円筒形状の圧胴３が設けられており、圧胴３と同軸的に一体回転可能に設けられた図示せぬ圧胴ギヤに出力ギヤ２は噛合している。モータの駆動力は、出力ギヤ２及び図示せぬ圧胴ギヤを介して圧胴３へと伝達されるように構成されている。
【００１７】
印刷機１には、圧胴３表面へ用紙を供給する略円筒形状の給紙胴４が設けられている。また、給紙胴４と同軸的に回転可能に給紙胴ギヤ４１（図２）が設けられており、給紙胴ギヤ４１は図示せぬ圧胴ギヤと噛合して、回転するように構成されている。印刷機１には、用紙を積層するための給紙パイル４２が設けられており、給紙パイル４２と給紙胴の間には、用紙を給紙パイル４２から給紙胴４の方向へと移動させるための略ベルトコンベア状のフィーダーボード４３と、給紙胴４へ用紙を正確で且つスムーズに送込むためのインフィード部４４とが設けられている。インフィード部４４には、用紙を正確な位置に移動させるための図示せぬローラ等から構成される見当機構が設けられており、この図示せぬ見当機構は、給紙胴ギヤ４１の回転によって駆動されるように図示せぬ駆動機構が設けられている。用紙を給紙パイル４２からインフィード部４４へと移動させるようにフィーダーボード４３を回転させる駆動力は、インフィード部４４内の図示せぬ見当機構を駆動する図示せぬ駆動機構から伝達される。給紙胴４の表面には、用紙を給紙胴４上に係止し、圧胴３へと送るための給紙胴爪４ａが、給紙胴４に対して一体回転可能に設けられている。給紙胴４、給紙胴爪４ａ、給紙パイル４２、フィーダーボード４３及びインフィード部４４は給紙装置を構成する。
【００１８】
また、圧胴３表面の用紙を排紙するための略円筒形状の排紙部６が設けられている。排紙部６には、図示せぬ圧胴ギヤと噛合し排紙部６と同軸的に一体回転可能に設けられた排紙部ギヤ６１（図４）が設けられている。圧胴３、排紙部６は、圧胴ギヤと排紙部ギヤ６１とが噛み合いながら回転するように構成されている。排紙部６の周囲には、チェーン６２が環装されており、チェーン６２はまた、排紙部６から離間した位置に設けられたスプロケット６３の周囲も環装している。チェーン６２には、圧胴３上の用紙を係止し排紙するための排紙グリッパー６２ａが複数設けられている。スプロケット６３の下方には、排紙した用紙を積重ねるための排紙パイル６４が設けられている。排紙部６、チェーン６２及びスプロケット６３は、圧胴ギヤから排紙部ギヤ６１と伝達された回転力によって回転するように構成されている。排紙部６、チェーン６２、排紙グリッパー６２ａ、スプロケット６３及び排紙パイル６４は排紙装置を構成する。
【００１９】
印刷機１には、２つのゴム胴８が設けられており、ゴム胴８にはゴム胴８と同軸的に一体回転可能に図示せぬゴム胴ギヤが設けられている。図示せぬゴム胴ギヤは図示せぬ圧胴ギヤに噛合しており、ゴム胴８はその表面で圧胴３に接しながら回転する。印刷が行なわれるときには、圧胴３の表面に供給された用紙は圧胴３によってゴム胴８へと押圧される。圧胴３の回転力は、図示せぬ圧胴ギヤ及び図示せぬゴム胴ギヤを介して、ゴム胴８に伝達されるように構成されている。
【００２０】
また、印刷機１には、２つの版胴９が設けられており、版胴９には版胴９と同軸的に一体回転可能に版胴ギヤ９０ａ（図６）が設けられている。２つの版胴ギヤ９０ａは図示せぬ２つのゴム胴ギヤにそれぞれ噛合しており、版胴９はその表面をゴム胴８に接しながら回転する。ゴム胴８の回転力は、図示せぬゴム胴ギヤ及び版胴ギヤ９０ａを介して版胴９に伝達される。１つの版胴９の表面には、図示せぬ薄い版が設けられている。図示せぬ版は、第１セグメント９ａ及び第２セグメント９ｂの２つのセグメントに分けられ、第１セグメント９ａにはある一色を印刷するための画像が形成される。また、第２セグメント９ｂには他の一色を印刷するための画像が形成される。即ち、１つの版胴９に２色分、合計で４色分の画像が２つの版胴９、９の表面に形成される。
【００２１】
版胴９には、版胴９の各々のセグメント９ａ、９ｂにインキを供給するためのインキ供給装置１５が設けられている。インキ供給装置１５は、インキ横転ローラー１５１（図６）及び図示せぬインキ供給部から構成されている。インキ横転ローラー１５１には、インキ横転ローラー１５１と同軸的に一体回転可能なギヤ１５１ａ（図６）が設けられており、ギヤ１５１ａは図６に示されるように、複数のギヤ９４、９６、９７、９８及び９９等を介して版胴ギヤ９０ａと連結している。よって版胴９の回転力が、版胴ギヤ９０ａ、複数のギヤ９４、９６、９７、９８及び９９、及びギヤ１５１ａを介してインキ横転ローラー１５１に伝達される。
【００２２】
次に、給紙胴４周辺の機構の詳細について説明する。図２に示されるように、給紙胴ギヤ４１は、その中心部分に略円形の貫通口４１ａを有する略円盤形状をしている。貫通口４１ａには、軸受４６を介して給紙胴軸４５が貫通しており、給紙胴軸４５の周囲には、給紙胴４（図１）が同軸的に配置され、給紙胴４は給紙胴軸４５と一体回転可能となっている。一方給紙胴ギヤ４１は、軸受４６を介して給紙胴軸４５に対して回転自在に設けられる。図２において、給紙胴ギヤ４１の左側には、中心部が給紙胴軸４５によって貫通され、給紙胴軸４５と同軸的に一体回転可能な略円筒状の給紙胴回転力伝達部材４７が設けられている。給紙胴ギヤ４１と給紙胴回転力伝達部材４７との間には、電磁クラッチ４８が設けられている。電磁クラッチ４８がＯＮの状態のときには、給紙胴回転力伝達部材４７と給紙胴ギヤ４１とが同軸的に一体回転可能となり、電磁クラッチ４８がＯＦＦの状態のときには、給紙胴ギヤ４１は給紙胴回転力伝達部材４７に対して同軸的に回転自在となる。即ち、給紙胴回転力伝達部材４７及び給紙胴４は同軸的に一体回転可能に設けられているため、電磁クラッチ４８がＯＮの状態のときには、給紙胴４は給紙胴ギヤ４１と一体回転し、電磁クラッチ４８がＯＦＦの状態のときには、給紙胴４は給紙胴ギヤ４１に対して回転自在となる。つまり、電動クラッチ４８がＯＮの状態のときに給紙胴４と給紙胴ギヤ４１とが接続され、電動クラッチ４８がＯＦＦの状態のときに給紙胴４と給紙胴ギヤ４１とが分離される。
【００２３】
電磁クラッチ４８をＯＦＦの状態とすることによって、圧胴３から図示せぬ圧胴ギヤを介して給紙胴ギヤ４１へと伝達された回転力が給紙胴４へ伝達がされなくなるため、画像を形成するときに、画像形成に必要のない給紙胴４等の駆動回転をさせなくすることができる。
【００２４】
図２において給紙胴軸４５の右端部には、半径方向に向かって凹形状の被係止部４９Ａ（図３）が形成され給紙胴軸４５及び給紙胴４（図１）と同軸的に一体回転する環状被係止部材４９が設けられている。図３に示されるように、環状被係止部材４９の円周と対向する位置には、第１係止爪５０ａを有する第１係止部材５０が設けられている。第１係止部材５０は、本体フレーム１１に固定された回動軸５１によって中央部が貫通されており、回動軸５１を中心として回動可能に設けられている。図３において、第１係止部材５０の回動軸５１に関して、第１係止爪５０ａと反対側には、バネ係止部５０ｂが設けられている。本体フレーム１１の一部にもバネ係止部１１ａが設けられており、これら２つのバネ係止部１１ａ、５０ｂの間には引張りバネ５２が張設されている。引張りバネ５２は、図３において、回動軸５１を中心として第１係止部材５０を反時計回り方向に回動するように付勢している。即ち引張りバネ５２は第１係止爪５０ａが被係止部４９Ａに係合するように付勢している。
【００２５】
図３において、引張りバネ５２の上方には、エアシリンダー５３及びリミットスイッチ５４が設けられている。第１係止部材５０のバネ係止部５０ｂよりも上側に、エアシリンダー５３の一端が接続されており、エアシリンダー５３の他端は、本体フレーム１１の一部に固定されている。エアシリンダー５３が動作すると、図３に２点鎖線で示させるように、引張りバネ５２の付勢力に抗して、第１係止部材５０は時計回り方向に回転され、第１係止爪５０ａは被係止部４９Ａから離反する。リミットスイッチ５４は、本体フレーム１１の一部に固定されており、第１係止爪５０ａが被係止部４９Ａに係合しているときには、図３に実線で示されているように、リミットスイッチ５４の一端は第１係合部材５０に当接している。即ち、リミットスイッチ５４が第１係合部材と当接していることを検知することによって、第１係止爪５０ａが被係止部４９Ａに係合していることを検知できるように構成されている。
【００２６】
第１係止爪５０ａが被係止部４９Ａに係合することによって、環状被係止部材４９と一体回転する給紙胴４を回転不能とすることができる。このため、給紙胴４の周囲に設けられた給紙胴爪４ａ（図１）を所定の周回位置に固定することができる。よって、画像形成時において、電磁クラッチ４８がＯＦＦの状態にあり、給紙胴ギヤ４１と給紙胴軸４５との接続が断たれている状態で、給紙胴４が自由に回転して給紙胴爪４ａが圧胴３に当接し圧胴３の回転に支障を来すことを防止することができる。
【００２７】
次に、排紙部６周辺の機構の詳細について説明する。図４に示されるように、排紙部ギヤ６１は、その中心部分に略円形の貫通口６１ａを有する略円盤形状をしている。貫通口６１ａには、排紙部軸６５が貫通しており、貫通口６１ａと排紙部軸６５との間には軸受６６が設けられている。排紙部６は排紙部軸６５と同軸的に一体回転可能に設けられており、排紙部ギヤ６１は、軸受６６を介して排紙部軸６５に対して同軸的に回転自在である。図４において、排紙部ギヤ６１の右側には、中心部が排紙部軸６５によって貫通され排紙部軸６５と同軸的に一体回転可能な略円筒状の排紙部回転力伝達部材６７が設けられている。そして、排紙部ギヤ６１と排紙部回転力伝達部材６７との間には、電磁クラッチ６８が設けられている。電磁クラッチ６８がＯＮの状態のときには、排紙部回転力伝達部材６７と排紙部ギヤ６１とが同軸的に一体回転可能となり、電磁クラッチ６８がＯＦＦの状態のときには、排紙部ギヤ６１は排紙部回転力伝達部材６７に対して同軸的に回転自在となる。即ち、排紙部回転力伝達部材６７及び排紙部６は同軸的に一体回転可能に設けられているため、電磁クラッチ６８がＯＮの状態のときには、排紙部６は排紙部ギヤ６１と一体回転し、電磁クラッチ６８がＯＦＦの状態のときには、排紙部６は排紙部ギヤ６１に対して回転自在となる。つまり、電動クラッチ６８がＯＮの状態のときに排紙部６と給紙部ギヤ６１とが接続され、電動クラッチ６８がＯＦＦの状態のときに排紙部６と排紙部ギヤ６１とが分離される。
【００２８】
電磁クラッチ６８をＯＦＦの状態とすることによって、圧胴３から図示せぬ圧胴ギヤを介して排紙部ギヤ６１へと伝達された回転力が、排紙部６へ伝達がされなくなるため、画像を形成するときに、画像形成に必要のない排紙部６等の部分を駆動回転させなくすることができる。
【００２９】
図４において排紙部軸６５の左端部には、排紙部軸６５と同軸的に一体回転する円形被係止部材６９が設けられている。円形被係止部材６９には半径方向内方に向かう凹形状の被係止部６９Ａ（図５）が形成され、図５に示されるように、円形被係止部材６９の円周と対向する位置には、第２係止爪７０ａを有する第２係止部材７０が設けられている。第２係止部材７０は、本体フレーム１１（図４）に固定されて設けられた回動軸７１によって中央部が貫通されており、回動軸７１を中心として回動可能である。図５において、第２係止部材７０の回動軸７１に関して、第２係止爪７０ａと反対側には、バネ係止部７０ｂが設けられている。本体フレーム１１の一部にバネ係止部１２ａが設けられており、これら２つのバネ係止部１２ａ、７０ｂの間には引張りバネ７２が設けられている。引張りバネ７２は図５において、第２係止爪７０ａが被係止部６９Ａに係合する方向に付勢している。
【００３０】
図５において、引張りバネ７２の下方には、エアシリンダー７３及びリミットスイッチ７４が設けられている。第２係止部材７０のバネ係止部７０ｂよりも下側には、エアシリンダー７３の一端が固定されており、エアシリンダー７３の他端は、本体フレーム１１の一部に固定されている。エアシリンダー７３が動作すると、図５の２点鎖線で示されるように、バネ７２の付勢力に抗して第２係止部材７０は時計回り方向に回転され、第２係止爪７０ａは被係止部６９Ａから離反する。リミットスイッチ７４は、本体フレーム１１の一部に固定されており、第２係合爪７０ａが被係止部６９Ａに係合しているときには、図５に実線で示されているように、リミットスイッチ７４の一端は第２係合部材７０に当接している。即ち、リミットスイッチ７４が第２係合部材と当接していることを検知することによって、第２係合爪７０ａが被係止部６９Ａに係合していることを検知できるように構成されている。
【００３１】
第２係合爪７０ａが被係止部６９Ａに係合することによって、円形被係止部材６９と一体回転する排紙部６を回転不能とすることができる。このため、画像形成時において、チェーン６２に設けられた排紙グリッパー６２ａ（図１）を所定の位置に保持することができ、画像形成時において、排紙グリッパー６２が圧胴３の表面に当接して圧胴の回転に支障を来すことを防止することができる。
【００３２】
次にインキ横転ローラー１５１を回転する機構について図６に基づき説明する。版胴９には、前述のように版胴９と同軸的に一体回転可能な版胴ギヤ９０ａが設けられており、図示せぬゴム胴ギヤの回転力が版胴ギヤ９０ａを介して版胴９に伝達されるように構成されている。版胴９は版胴軸９１と一体に設けられており、版胴軸９１は、軸受９２を介してフレーム１１、１２に回転可能に支承されている。版胴軸９１の一端には、半径が版胴軸９１よりも短い版胴軸延長部９１ａが設けられている。図６において、版胴軸９１の左側には、版胴軸９１と同軸的に一体回転可能であり、半径が版胴軸９１よりも長い略円柱形状の版胴回転力伝達部材９３が設けられている。
【００３３】
フレーム１２には、スタッド１２Ａを介してサブフレーム１２Ｂがフレーム１２と平行に固定されており、版胴軸延長部９１ａはベアリングを介してサブフレーム１２Ｂに回転可能に支持される。版胴回転力伝達部材９３とサブフレーム１２Ｂとの間には、上述したギヤ９４が配置されている。ギヤ９４はその軸部に貫通口９４Ａが形成された略円盤形状をなし、貫通口９４Ａには軸受９５を介して版胴軸延長部９１ａが貫通しており、よってギヤ９４は版胴軸延長部９１ａに対して同軸的に回転自在に設けられている。また上述したギヤ９６、９７、９８は、サブフレーム１２Ｂに回転可能に支持されている。ギヤ９４は、ギヤ９６と噛合し、ギヤ９６はギヤ９７と噛合している。更にギヤ９７は、ギヤ９９と同軸的に一体回転可能に設けられたギヤ９８と噛合している。ギヤ９８及びギヤ９９は、軸１００と同軸的に一体回転可能に設けられ、軸１００の一端部は、軸受１０１Ａを介してフレーム１２に回転可能に支承され、他端部は、軸受１０１Ｂを介してサブフレーム１２Ｂに回転可能に支承される。図６において、インキ横転ローラー１５１の左端には、インキ横転ローラー１５１と同軸的に一体回転可能に設けられたギヤ１５１ａが設けられており、ギヤ１５１ａはギヤ９９と噛合している。なお後述するように、インキ横転ローラー１５１は軸方向に往復動自在に設けられているので、ギヤ１５１ａとギヤ９９との噛合を確保するために、ギヤ９９の軸方向の厚みはインキ横転ローラー１５１の往復動ストローク分以上に設定されている。
【００３４】
ギヤ９４と版胴回転力伝達部材９３との間には、電磁クラッチ１０２が設けられている。電磁クラッチ１０２がＯＮの状態の時には、ギヤ９４と版胴回転力伝達部材９３とが同軸的に一体回転可能となり、電磁クラッチ１０２がＯＦＦの状態のときには、ギヤ９４は版胴回転力伝達部材９３に対して同軸的に回転自在となる。即ち、電磁クラッチ１０２がＯＮの状態のときには、版胴９の回転力が、版胴回転力伝達部材９３、ギヤ９４、９６、９７、９８及び９９を介してギヤ１５１ａに伝達される接続状態となっており、版胴９が回転することによってインキ横転ローラー１５１が回転するように構成されており、電磁クラッチ１０２がＯＦＦの状態のときには、版胴回転力伝達部材９３の回転がギヤ９４に伝達されない遮断状態となっているため、版胴９が回転してもインキ横転ローラー１５１は回転しないように構成されている。
【００３５】
電磁クラッチ１０２をＯＦＦの状態とすることによって、図示せぬ圧胴ギヤ及び図示せぬゴム胴ギヤを介して版胴ギヤ９０ａへ伝達された回転力がインキ横転ローラー１５１へ伝達されず遮断されるため、画像を形成するときに、画像形成に必要のないインキ横転ローラー１５１等のインキ供給装置１５の部分を駆動回転させずに済むことができる。
【００３６】
次に、インキ横転ローラー１５１、１６１、１７１を往復動する機構（いわゆる横転機構）について図６乃至図７に基づき説明する。図６において、版胴軸９１の右端には版胴９と同軸的に一体回転可能なプーリー９１ｂが設けられており、プーリー９１ｂにはベルト１０３が環装されている。フレーム１１には、スタッド１１Ａを介してサブフレーム１１Ｂがフレーム１１と平行に固定されており、フレーム１１とサブフレーム１１Ｂ間には、回転力中間伝達部材１０４及びプーリ１０７が配置されている。具体的には、軸受１０５等を介して、回転軸１０４ａがフレーム１１とサブフレーム１１Ｂに回転可能に設けられ、回転力中間伝達部材１０４は回転軸１０４ａに一体に設けられている。プーリ１０７は図６において、回転力中間伝達部材１０４の右側に設けられ、軸部に貫通口１０７Ａが形成されると共に貫通口１０７Ａ内には、軸受１０６が設けられて回転軸１０４ａが貫通口１０７Ａを貫通している。よって、プーリー１０７は、軸受１０６を介して回転軸１０４ａに対して同軸的に回転自在に構成されている。プーリー１０７には上述したベルト１０３が環装され、プーリー９１ｂの回転力が、ベルト１０３を介してプーリー１０７に伝達されるように構成されている。
【００３７】
回転力中間伝達部材１０４とプーリー１０７との間には、電磁クラッチ１１８が設けられている。電磁クラッチ１１８がＯＮの状態のときには、回転力中間伝達部材１０４とプーリー１０７とが同軸的に一体回転可能となり、電磁クラッチ１１８がＯＦＦの状態のときには、回転力中間伝達部材１０４はプーリー１０７に対して回転自在となる。つまり、電動クラッチ１１８がＯＮの状態のときには版胴９からインキ横転ローラー１５１、１６１、１７１への横転力の伝達が接続され、電動クラッチ１１８がＯＦＦの状態のときには版胴９からインキ横転ローラー１５１、１６１、１７１への横転力の伝達が遮断される。
【００３８】
図６において、回転軸１０４ａの右端には、回転軸１０４ａと同軸的に一体回転可能な略円盤形状の回転部材１０４ｂが設けられており、回転部材１０４ｂがサブフレーム１１Ｂに対して回転可能に支持されている。回転部材１０４ｂには、回転軸１０４ａの軸心から偏心した位置に、ロッド支持部１０４ｃが設けられており、ロッド支持部１０４ｃには、軸受１０８ｂを介してロッド１０８の端部１０８ａが、ロッド支持部１０４ｃに対して回動自在に支持されている。
【００３９】
フレーム１１にはブラケット１０９が突出固定され、ブラケット１０９にはフレーム１１に対して平行に延びる横転駆動部材１１０が回転可能に設けられている。横転駆動部材１１０は、ブラケット１０９に回転可能に支持される支持部１１０ａと、支持部１１０ａの軸心とは直角に且つ互いに反対方向に延びる１対のアーム部１１３、１１２と、該ロッド１０８の上端部と回動可能に接続する腕部１１０Ａとが一体に設けられたものである。アーム部１１３の自由端には、上述のインキ横転ローラー１５１の回転軸の一端部が回動可能に接続されている。
【００４０】
具体的には、図６において、ブラケット１０９の右端部１０９ａは略筒形状をしており、横転駆動部材１１０の支持部１１０ａが、図６の紙面に直角な方向に該右端部１０９ａを貫通している。横転駆動部材１１０の右端には貫通口１１０Ｂが形成されており、また、ロッド１０８一端にも図示せぬ貫通口が形成されている。これらの貫通口が回動軸１１１によって同軸的に貫通されることによって、ロッド１０８と横転駆動部材１１０の腕部１１０Ａとが回動可能に連結されている。
【００４１】
図７に示されるように、横転駆動部材１１０の支持部１１０ａから上下方向に延びるようにインキ横転ローラー接続部をなす２つのアーム部１１２、１１３が設けられており、アーム部１１２、１１３の先端部には、インキ横転ローラー係止ナット１１２ａ、１１３ａが設けられている。図６において、インキ横転ローラー１５１の右端部には、略フランジ状のナット係止部材１５１ｂ、１５１ｃが設けられており、これらの間にインキ横転ローラー係止ナット１１２ａが挟持されている。インキ横転ローラー１６１の右端部にも、略フランジ状のナット係止部材１６１ｂ、１６１ｃが設けられており、これらの間にインキ横転ローラー係止ナット１１３ａが挟持されている。
【００４２】
図７に示されるように、フレーム１１（図６）には、左右方向に軸を有するピボット支軸１１４が設けられている。ピボット支軸１１４は、横転力伝達アーム１１５をピポット支軸１１４の軸に対して回動可能に設けられている。横転力伝達アーム１１５の両端には、インキ横転ローラー係止ナット１１６、１１７が設けられており、インキ横転ローラー係止ナット１１６は、インキ横転ローラー係止ナット１１３ａと協働して、インキ横転ローラー１６１の右端部と接続される。即ち、ナット係止部材１６１ｂ、１６１ｃの間にインキ横転ローラー係止ナット１１６が挟持される。また、インキ横転ローラー１７１の端部にも略フランジ状のナット係止部材１７１ｂ、１７１ｃが設けられており、これらの間にインキ横転ローラー係止ナット１１７が挟持されている。
【００４３】
次に、インキ横転ローラー１５１、１６１及び１７１の横転動作のための、版胴９からの回転力の伝達について説明する。先ず、電磁クラッチ１１８がＯＮの状態である場合、版胴９が回転するとプーリー９１ｂも一体回転する。プーリー９１ｂの回転力がベルト１０３を介してプーリー１０７に伝達され、プーリー１０７も回転する。プーリー１０７は、電磁クラッチ１１８によって回転力中間伝達部材１０４、回転軸１０４ａ、回転部材１０４ｂと共に一体回転可能となっているため、プーリー１０７の回転によって、回転部材１０４ｂも回転し、ロッド支持部１０４ｃが偏心回転する。
【００４４】
ロッド支持部１０４ｃの偏心回転は、ロッド１０８の往復動に変換され、その結果、横転駆動部材１１０の支持部１１０ａが、ブラケット１０９の右端部１０９ａ（図６）を中心に所定範囲で往復揺動運動をする。横転駆動部材１１０の往復揺動によって、アーム部１１３，１１２も一体に図６の左右方向に往復揺動するので、インキ横転ローラー係止ナット１１３ａ、１１２ａとナット係止部材１５１ｂ、１５１ｃ、１６１ｂ、１６１ｃとを介して、関連するインキ横転ローラー１５１、１６１を軸方向に往復動させる。インキ横転ローラー１６１が軸方向に往復運動すると、横転力伝達アーム１１５を介して、インキ横転ローラー１７１も軸方向に往復運動するので、結果的に３本のインキ横転ローラー１５１、１６１、１７１が軸方向に往復動作して、版胴９の表面に対してインキをこねる作用を果す。
【００４５】
次に、電磁クラッチ１１８がＯＦＦに切換えられると、版胴９の回転力がプーリー１０７に伝達されるところまでは、電磁クラッチ１１８がＯＮの状態のときと同じであるが、プーリー１０７は回転力中間伝達部材１０４に対して回転自在となっているため、プーリー１０７に伝達された回転力は、回転力中間伝達部材１０４等を介してインキ横転ローラー１５１、１６１及び１７１には伝達されない。従って、インキ横転ローラー１５１、１６１、１７１の軸方向の往復動は生じない。電磁クラッチ１１８をＯＦＦの状態とすることによって、図示せぬ圧胴ギヤ及び図示せぬゴム胴ギヤを介して版胴ギヤ９０ａへ伝達された回転力は、横転機構を介してインキ横転ローラー１５１等へ伝達されないため、画像を形成するときに、画像形成に必要のないインキ横転ローラー１５１等の往復動作をさせずに済むことができる。
【００４６】
本発明によるオフセット印刷機は上述した実施の形態に限定されず、特許請求の範囲に記載した範囲で種々の変形や改良が可能である。例えば、本実施の形態では、モータの出力ギヤ２を、図１において圧胴３の下部に設けたが、図示せぬ圧胴ギヤと噛合し圧胴３に回転力を伝達できれば、どこに設けてもよい。
【００４７】
また、本実施の形態では、画像を形成するときに、給紙装置、排紙装置及びインキ供給装置が駆動しないようにしたが、これらの内の少なくとも１つを駆動しないように構成してもよい。
【００４８】
また、印刷の可能な色は４色に限られず、何色でも印刷できるように構成してもよい。
【００４９】
また、本実施の形態では、版胴の表面に薄い版が設けられ、薄い版の上に画像が形成されるが、薄い版を設けずに版胴の表面に直接画像を形成するようにしてもよい。
【００５０】
また、本発明によるオフセット印刷機は、デジタルオフセット印刷機以外のオフセット印刷機においても、必要に応じて、転用可能である。
【００５１】
【発明の効果】
請求項１記載のオフセット印刷機によれば、モータから給紙手段、排紙手段、インキ供給手段への回転力の伝達が遮断されるため、画像を形成するときに画像形成に必要のない部分の駆動をさせなくすることができる。例えば、モータから給紙手段への動力の伝達が遮断されたときは、給紙胴への動力伝達を防止することができる。またモータから排紙手段への動力の伝達が遮断されたときは、排紙部への回転力の伝達が遮断されるため、画像を形成するときに画像形成に必要のない排紙部等の部分を駆動回転させなくすることができる。また、モータからインキ供給手段への回転力の伝達が遮断された構成では、画像を形成するときに画像形成に必要のないインキ供給手段を駆動させずに済むことができる。いずれも、画像形成に必要のない部分を駆動させずに済むため、版胴の回転を高速化することができ、また、より少ない駆動力によって版胴を回転することができ、画像形成の高効率化を図ることができる。また、余計な振動の発生を抑えることができるため、印刷機の耐久性を飛躍的に向上させることができる。
【００５２】
請求項２記載のオフセット印刷機によれば、電源クラッチをＯＦＦの状態とすることによって給紙胴ギヤと給紙胴とを分離し、給紙胴ギヤから給紙胴への回転力の伝達を遮断することができ、この場合に、第１係合爪が給紙胴に係合することによって、給紙胴を回転不能とすることができる。このため、画像形成の際に、給紙胴の周囲に設けられた給紙胴爪を圧胴の面から離間した所定の位置に保持することができ、給紙胴爪が圧胴の回転に支障を来すことを防止することができる。
【００５３】
請求項３記載のオフセット印刷機によれば、電源クラッチをＯＦＦの状態とすることによって排紙ギヤと排紙部とを分離し、排紙ギヤから排紙部への回転力の伝達を遮断することができ、第２係合爪が排紙部に係合することによって、排紙部を回転不能とすることができる。このため、画像形成の際に、チェーンに設けられた排紙グリッパーを圧胴の面から離間した所定の位置に保持することができ、排紙グリッパーが圧胴の回転に支障を来すことを防止することができる。
【００５４】
請求項４記載のオフセット印刷機によれば、電磁クラッチをＯＦＦの状態とすることによって、版胴からインキ供給装置への回転力及び横転力の伝達が遮断されるため、画像を形成するときに、画像形成に必要のないインキ供給装置を駆動させずに済むことができる。このため、版胴の回転を高速化することができ、画像形成の高効率化を図ることができる。また、余計な振動の発生を抑えることができるため、印刷機の耐久性を飛躍的に向上させることができる。
【図面の簡単な説明】
【図１】  本発明の実施の形態によるオフセット印刷機を示す概略側面図。
【図２】  本発明の実施の形態によるオフセット印刷機の給紙胴付近を示す要部断面図。
【図３】  本発明の実施の形態によるオフセット印刷機の第１係止爪付近を示す拡大図。
【図４】    本発明の実施の形態によるオフセット印刷機の排紙部付近を示す要部断面図。
【図５】  本発明の実施の形態によるオフセット印刷機の第２係止爪付近を示す拡大図。
【図６】  本発明の実施の形態によるオフセット印刷機の版胴付近を示す要部断面図。
【図７】  本発明の実施の形態によるオフセット印刷機の横転機構を示す側面図。
【符号の説明】
２      出力ギヤ
３      圧胴
４      給紙胴
６      排紙部
８      ゴム胴
９      版胴
１１、１２    フレーム
４１    給紙胴ギヤ
４８、６８、１０２、１１８    電磁クラッチ
５０ａ  第１係止爪
６１    排紙ギヤ
６２    チェーン
７０ａ  第２係止爪
９０ａ  版胴ギヤ
１５１、１６１、１７１    インキ横転ローラー
【図１】
0004250265.tif 000002
【図２】
0004250265.tif 000003
【図３】
0004250265.tif 000004
【図４】
0004250265.tif 000005
【図５】
0004250265.tif 000006
【図６】
0004250265.tif 000007
【図７】
0004250265.tif 000008